(57)【要約】【課題】簡易な構成によって、高画質で機能が付加された撮像画像が確実に取得できる携帯情報端末装置を提供すること。【解決手段】折畳み機構を有し、筐体１４に撮像光学系１ａを備えた携帯情報端末装置１００において、筐体１４に設けられ、筐体１４と蓋部１５とが折畳まれた際に、筐体１４と蓋部１５との位置決めを行う嵌合突起１８と、蓋部１５に設けられ、筐体１４と蓋部１５とが折畳まれた際に、撮像光学系１ａと結合して撮像光学系１ａに付加的光学系を与えるアダプタ光学系１ｂと、蓋部１５に設けられ、嵌合突起１８、嵌合孔２０の嵌合動作に連動して撮像光学系１ａにアダプタ光学系１ｂを結合させるとともにアダプタ光学系１ｂを撮像光学系１ａから離脱させる連動部、を備える。【選択図】        図２
2006270229.tif 000002
【特許請求の範囲】
【請求項１】
折畳み機構を有し、この折畳み機構の折畳まれる一方の筐体に画像を撮像する撮像手段を備えた携帯情報端末装置において、
前記一方の筐体に設けられ、前記一方の筐体と他方の筐体とが折畳まれた際に、前記一方の筐体と前記他方の筐体との位置決めを行う位置決め手段と、
前記他方の筐体に設けられ、前記一方の筐体と前記他方の筐体とが折畳まれた際に、前記撮像手段と結合して前記撮像手段に付加的光学系を与える付加光学手段と、
前記他方の筐体に設けられ、前記位置決め手段の位置決め動作に連動して前記撮像手段に前記付加光学手段を結合させるとともに前記付加光学手段を前記撮像手段から離脱させる連動手段と、
を備えたことを特徴とする携帯情報端末装置。
【請求項２】
前記付加光学手段は、前記位置決め手段によって位置決めされた際、前記撮像手段に対する光軸および焦点の各位置合わせがなされる位置に配置されることを特徴とする請求項１に記載の携帯情報端末装置。
【請求項３】
前記位置決め手段は、前記一方の筐体に設けられた凸状突起と、前記他方の筐体に設けられ、前記凸状突起に嵌合する凹状孔とによって形成され、
前記連動手段は、前記凹状孔に挿入された突起部を有し、前記位置決め手段の位置決め時に前記凸状突起が前記突起部を押し出し、この押し出し動作に連動して前記付加光学手段を前記撮像手段に結合させるとともに前記位置決め手段の位置決め解除時に前記突起部が前記凹状孔に挿入し、この挿入動作に連動して前記付加光学手段を前記撮像手段から離脱させることを特徴とする請求項１または２に記載の携帯情報端末装置。
【請求項４】
前記連動手段は、
前記付加光学手段を前記撮像手段側に圧する第１バネと、
前記第１バネのバネ力よりも強いバネ力を有し、前記付加光学手段を前記撮像手段側から引き戻す第２バネと、
一端に前記突起部を設け、他端が前記第２バネに接続されるとともに該他端に前記付加光学手段が係合する回動可能なレバーと、
を備え、前記一方の筐体と前記他方の筐体とが折畳みに伴う前記突起部の押し出し動作によって前記レバーの他端が前記撮像手段側に回動し、前記第１バネのバネ力によって前記付加光学手段を前記撮像手段側に繰り出し、前記挿入動作に伴って前記第２バネのバネ力が前記第１バネ力に打ち勝って前記レバーの他端が前記撮像手段側から前記付加光学手段側に回動し、前記付加光学手段を前記撮像手段から引き戻すことを特徴とする請求項３に記載の携帯情報端末装置。
【請求項５】
前記第２バネは、コイルバネであることを特徴とする請求項４に記載の携帯情報端末装置。
【請求項６】
撮像対象を照明する照明手段をさらに備えたことを特徴とする請求項１〜５のいずれか一つに記載の携帯情報端末装置。
【請求項７】
前記照明手段は、
前記一方の筐体に配置され、撮像対象側を照明する光源と、
前記他方の筐体に配置され、前記光源から発する照明光を筐体外部に透過させる透過手段と、
を備えたことを特徴とする請求項６に記載の携帯情報端末装置。
【発明の詳細な説明】
【技術分野】
【０００１】
本発明は、折畳み機構を有し、この折畳み機構の折畳まれる一方の筐体に画像を撮像する撮像手段を備えた携帯情報端末装置に関するものである。
【背景技術】
【０００２】
近年、撮像素子の小型化、低消費電力化、更には通信インフラの高速化、大容量化に伴い、携帯電話やＰＤＡ等の携帯情報端末装置にも撮像機能が搭載されてきている。
【０００３】
携帯情報端末装置は、携帯性の向上を図るため、筐体に折畳み機構が採用されている。折畳まれる筐体の一方には、操作キー機能、音声入力機能が配置され、筐体の他方には、液晶表示機能、音声出力機能、送受信機能等が配置されている。この折畳み機構を利用し、携帯情報端末装置の高機能化も図られている。筐体の一方に撮像光学系を設け、筐体の他方にこの撮像光学系に付加するアダプタ光学系を設け、筐体が折畳まれた場合、この撮像光学系とこのアダプタ光学系とが結合し、撮像光学系が高機能化するものである（特許文献１参照）。
【０００４】
【特許文献１】特開２００３―６９８６８号公報
【発明の開示】
【発明が解決しようとする課題】
【０００５】
しかしながら、携帯情報端末装置における折畳み機構は、ヒンジを用いたものが主であり、このヒンジ部分に生じる遊び径によって撮像光学系とアダプタ光学系との結合が不完全になり易く、また再現性が得られず、高画質で機能が付加された撮像画像が確実に取得できないという問題点があった。
【０００６】
本発明は、上記に鑑みてなされたものであって、簡易な構成によって撮像光学系とアダプタ光学系との結合を完全に行い、高機能で高画質の撮像画像が確実に取得できる携帯情報端末装置を提供することを目的とする。
【課題を解決するための手段】
【０００７】
上記目的を達成するために、請求項１にかかる携帯情報端末装置は、折畳み機構を有し、この折畳み機構の折畳まれる一方の筐体に画像を撮像する撮像手段を備えた携帯情報端末装置において、前記一方の筐体に設けられ、前記一方の筐体と他方の筐体とが折畳まれた際に、前記一方の筐体と前記他方の筐体との位置決めを行う位置決め手段と、前記他方の筐体に設けられ、前記一方の筐体と前記他方の筐体とが折畳まれた際に、前記撮像手段と結合して前記撮像手段に付加的光学系を与える付加光学手段と、前記他方の筐体に設けられ、前記位置決め手段の位置決め動作に連動して前記撮像手段に前記付加光学手段を結合させるとともに前記付加光学手段を前記撮像手段から離脱させる連動手段と、を備えたことを特徴とする。
【０００８】
また、請求項２にかかる携帯情報端末装置は、上記の発明において、前記付加光学手段は、前記位置決め手段によって位置決めされた際、前記撮像手段に対する光軸および焦点の各位置合わせがなされる位置に配置されることを特徴とする。
【０００９】
また、請求項３にかかる携帯情報端末装置は、上記の発明において、前記位置決め手段は、前記一方の筐体に設けられた凸状突起と、前記他方の筐体に設けられ、前記凸状突起に嵌合する凹状孔とによって形成され、前記連動手段は、前記凹状孔に挿入された突起部を有し、前記位置決め手段の位置決め時に前記凸状突起が前記突起部を押し出し、この押し出し動作に連動して前記付加光学手段を前記撮像手段に結合させるとともに前記位置決め手段の位置決め解除時に前記突起部が前記凹状孔に挿入し、この挿入動作に連動して前記付加光学手段を前記撮像手段から離脱させることを特徴とする。
【００１０】
また、請求項４にかかる携帯情報端末装置は、上記の発明において、前記連動手段は、前記付加光学手段を前記撮像手段側に圧する第１バネと、前記第１バネのバネ力よりも強いバネ力を有し、前記付加光学手段を前記撮像手段側から引き戻す第２バネと、一端に前記突起部を設け、他端が前記第２バネに接続されるとともに該他端に前記付加光学手段が係合する回動可能なレバーと、を備え、前記一方の筐体と前記他方の筐体とが折畳みに伴う前記突起部の押し出し動作によって前記レバーの他端が前記撮像手段側に回動し、前記第１バネのバネ力によって前記付加光学手段を前記撮像手段側に繰り出し、前記挿入動作に伴って前記第２バネのバネ力が前記第１バネ力に打ち勝って前記レバーの他端が前記撮像手段側から前記付加光学手段側に回動し、前記付加光学手段を前記撮像手段から引き戻すことを特徴とする。
【００１１】
また、請求項５にかかる携帯情報端末装置は、上記の発明において、前記第２バネは、コイルバネであることを特徴とする。
【００１２】
また、請求項６にかかる携帯情報端末装置は、上記の発明において、撮像対象を照明する照明手段をさらに備えたことを特徴とする。
【００１３】
また、請求項７にかかる携帯情報端末装置は、上記の発明において、前記照明手段は、前記一方の筐体に配置され、撮像対象側を照明する光源と、前記他方の筐体に配置され、前記光源から発する照明光を筐体外部に透過させる透過手段と、を備えたことを特徴とする。
【発明の効果】
【００１４】
本発明にかかる携帯情報端末装置は、折畳み機構を有する筐体に嵌合部を設けて撮像光学系とアダプタ光学系との結合を完全に行い、高画質で機能が付加された撮像画像が確実に取得できるという効果を奏する。
【発明を実施するための最良の形態】
【００１５】
以下に添付図面を参照して、この発明にかかる携帯情報端末装置の好適な実施の形態を詳細し説明する。
【００１６】
（実施の形態１）
図１は、この発明の実施の形態１である携帯情報端末装置１００の概要構成を示すブロック図である。図１において、制御部（ＣＰＵ）１３は、撮像部１と、表示部２と、入力部３と、音声入出力部４と、外部通信部７と、メモリ部８と、照明部１０とを接続するとともに制御する。撮像部１は、撮像光学系１ａと、アダプタ光学系１ｂと、イメージャ１ｃとを有し、外部通信部７は、アンテナ９を接続する。
【００１７】
撮像部１は、画像を撮像する撮像光学系１ａと、撮像光学系１ａを介して取り込まれた画像を光電変換するイメージャ１ｃと、撮像光学系１ａと結合して撮像機能を付加するアダプタ光学系１ｂとを有する。イメージャ１ｃは、ＣＣＤ、またはＣＭＯＳ等によって実現され、撮像画像を光電変換して画素単位の表示信号に変換し、ＣＰＵ１３に出力する。撮像部１は、ＣＰＵ１３の制御のもと、撮像光学系１ａを介して画像を撮像する。
【００１８】
表示部２は、液晶表示装置（ＬＣＤ：Liquid Crystal Display）２Ａ、または有機ＥＬパネル等の薄型ディスプレイの表示素子を有し、ＣＰＵ１３の制御のもと、撮像部１によって取得された撮像画像である画像情報、または入力部３から送出された書込指示を含む書込情報等を表示出力する。なお、表示部２は、携帯情報端末装置１００に処理動作に関するエラーが発生した場合、ＣＰＵ１３の制御のもと、ＣＰＵ１３を介してこのエラーを報知する所定のエラー表示を表示出力してもよい。
【００１９】
入力部３は、入力する複数の操作キー３ａを有し、携帯情報端末装置１００の筐体に配置される。たとえば、操作者がキー操作によって操作キー３ａから入力情報を入力すると、入力部３は、この入力情報の入力を受け付けるとともに、受け付けた入力情報をＣＰＵ１３に送出する。
【００２０】
外部通信部７は、ＲＳ２３２Ｃ、ＵＳＢ、またはＩＥＥＥ１３９４等の外部インターフェース、あるいはＩｒＤＡ規格に準拠した赤外線通信インターフェース等を有し、外部のホストシステム（図示せず）、またはプリンタ等の周辺機器（図示せず）に対して情報通信を行う。外部通信部７は、入力情報等がＣＰＵ１３から入力された場合、ＣＰＵ１３の制御のもと、このＣＰＵ１３から入力された情報を外部のホストシステム、または周辺機器に送出する。また、外部通信部７は、ＣＰＵ１３の処理動作を制御する各種情報が外部のホストシステムから入力された場合、この外部のホストシステムから入力された情報をＣＰＵ１３に送出する。なお、外部通信部７は、外部のホストシステムまたは周辺機器の各端子に電気的に接続できる共用端子を用いてもよいし、アンテナ９を介して無線通信を行うようにしてもよい。この場合、アンテナ９は、携帯性を向上するため、伸縮可能であることが望ましい。
【００２１】
メモリ部８は、処理プログラム等の各種データが予め記録されたＲＯＭと、各種演算パラメータ、入力情報、あるいは音声情報等を記憶するＲＡＭとを有している。ＣＰＵ１３は、メモリ部８に記録された処理プログラムを実行する。
【００２２】
照明部１２は、撮像対象に対し赤外光、または可視光を投光する半導体レーザ素子、または発光ダイオード等の光源を有し、ＣＰＵ１３の制御のもと、撮像対象に対して投光する。
【００２３】
音声入出力部４は、マイクロフォン４ａおよびスピーカ４ｂを有し、ＣＰＵ１３の制御のもと、外部からの音声情報を入力するとともに、入力した音声情報をＣＰＵ１３に送出する。また、音声入出力部４は、ＣＰＵ１３の制御のもと、ＣＰＵ１３から入力された音声情報を外部に出力する。なお、音声入出力部４は、ＣＰＵ１３の制御のもと、各構成部位による処理の開始または完了を報知する所定の報知音を出力し、または携帯情報端末装置１００の処理動作に関するエラーが発生した場合に、ＣＰＵ１３の制御のもと、このエラー音を報知する所定のエラー音を出力してもよい。この場合、音声入出力部４は、上述した表示部２によるエラー表示の出力と同期して、このエラー表示に対応するエラー音を出力する。
【００２４】
図２は、携帯情報端末装置１００の外観を示す斜視図である。図２に示すように、この携帯情報端末装置１００は、筐体１４と蓋部１５とを有し、筐体１４と蓋部１５とは、ヒンジ１６によって接続され、筐体１４と蓋部１５とは、ヒンジ１６を回動軸として折畳まれるようになっている。筐体１４は、アンテナ１０と、スピーカ４ｂと、ＬＣＤ２Ａと、スイッチ駆動突起１７と、嵌合突起１８と、撮像光学系１ａとを有し、蓋部１５は、アダプタ光学系１ｂと、嵌合孔２０と、検出スイッチ２１と、操作キー３ａと、マイクロフォン４ａとを有している。
【００２５】
筐体１４と蓋部１５とが折畳まれた場合、スイッチ駆動突起１７と検出スイッチ２０との位置が対応し、撮像光学系１ａとアダプタ光学系１ｂとの位置が対応し、嵌合突起１８と嵌合孔１９との位置が対応するようになっている。
【００２６】
したがって、筐体１４と蓋部１５とが折畳まれると、スイッチ駆動突起１７が検出スイッチ２１を押圧して検出スイッチ２１が駆動され、筐体１４と蓋部１５とが折畳まれたことが検出される。さらに、嵌合突起１８が嵌合孔２０に嵌合し、この嵌合に連動して撮像光学系１ａとアダプタ光学系１ｂとが結合する。
【００２７】
アダプタ光学系１ｂは、望遠機能、接写機能、広角機能等の各機能別の光学系によって構成され、所望の機能の光学系と交換が可能となっている。したがって、撮像光学系１ａは、アダプタ光学系１ｂと結合することによって各機能を有する撮像が可能となる。勿論、撮像光学系１ａは、アダプタ光学系１ｂを結合せず、通常機能で撮像することも可能である。
【００２８】
図３は、筐体１４と蓋部１５とが折畳まれた携帯情報端末装置１００を示す断面図である。図３に示すように、ヒンジ１６によって筐体１４と蓋部１５とが折畳まれ、嵌合突起１８が蓋部１５に挿入され、アダプタ光学系１ｂを矜持する鏡筒２ｂが蓋部１５から突出して凸形状を形成し、筐体１４に凹形状に形成された底に配置された撮像光学系１ａと結合している。この結合によって、撮像光学系１ａは、透明窓２１ｃを介してアダプタ光学系１ｂが取込んだ光学画像を取得することができ、イメージャ１ｃは、撮像光学系１ａが取得した光学画像から画像信号に変換することができる。
【００２９】
図４―１は、筐体１４と蓋部１５とが折畳まれる前の撮像光学系１ａ、アダプタ光学系１ｂ付近の詳細を示す拡大断面図であり、図４―２は、筐体１４と蓋部１５とが折畳まれた後の撮像光学系１ａ、アダプタ光学系１ｂ付近の詳細を示す拡大断面図である。図４−１に示すように、筐体１４は、嵌合突起１８を設けたハウジング１９ａと、ハウジング１９ｂとを有し、ハウジング１９ａ，１９ｂによって撮像光学系１ａと、イメージャ１ｃと、鏡筒１ｄと、鏡筒保持部材１ｅと、導線１ｆとが収納されている。撮像光学系１ａは、鏡筒１ｄによって矜持され、鏡筒１ｄは、鏡筒保持部材１ｅによって保持されている。撮像光学系１ａは、イメージャ１ｃを接続し、イメージャ１ｃは、導線１ｆを接続している。撮像光学系１ａによって撮像された光学画像は、イメージャ１ｃによって光電変換され、光電変換された電気信号は、導線１ｆを介してＣＰＵ１３に出力される。ＣＰＵ１３は、入力した電気信号を表示信号に変換し、ＬＣＤ２Ａに出力表示する。
【００３０】
また、蓋部１５は、嵌合孔２０を設けたハウジング２１ａと、透明窓２１ｃを設けたハウジング２１ｂとを有し、ハウジング２１ａ，２１ｂによって光学アダプタ１ｂと、リブ２ａを設けた鏡筒２ｂと、コイルバネ２ｃと、ストッパ２ｆを設けたレバー２ｄと、レバー２ｄを回動させるヒンジ２ｅと、板バネ２ｇとが収納されている。アダプタ光学系１ｂは、鏡筒２ｂによって矜持され、鏡筒２ｂは、コイルバネ２ｃによって支持されている。嵌合孔２０にレバー２ｄの一部が嵌合し、レバー２ｄは、ヒンジ２ｅを中心に回動する。
【００３１】
レバー２ｄは、板バネ２ｇに接続され、板バネ２ｇは、レバー２ｄを押し下げる方向に力を印加するため、レバー２ｄは、リブ２ａを押し下げる方向に力を印加する。コイルバネ２ｃは、リブ２ａを押し上げる方向に力を印加するが、板バネ２ｇの力に比して小さいため、結果的にリブ２ａは、押し下げられる。レバー２ｄは、ハウジング２１ａによってストッパ２ｆが接触した位置で停止し、レバー２ｄが停止した位置において、レバー２ｄの突端は、嵌合孔２０に嵌合し、鏡筒２ｂの先端は、ハウジング２１ａと同一面内に留まる。したがって、筐体１４と蓋部１５とが折畳まれていない場合、ハウジング２１ａの面は、平滑になっている。
【００３２】
図４―２に示すように、筐体１４と蓋部１５とが折畳まれると、嵌合突起１８は、嵌合孔２０に挿入され、嵌合孔２０に嵌合していたレバー２ｄの突端を押圧する。レバー２ｄを押圧する力は、板バネ２ｇの力に比して大であるため、レバー２ｄの突端は、押し下げられ、これに伴ってレバー２ｄは、ヒンジ２ｅを中心に回動する。レバー２ｄが回動すると、レバー２ｄによって押し下げられていたリブ２ｇがコイルバネ２ｃの力によって押し上げられる。リブ２ｇが押し上げられると、リブ２ｇとともに鏡筒２ｂが押し上げられる。鏡筒２ｂが押し上げられると、鏡筒２ｂの先端は、ハウジング１９ａから突出し、筐体１４側の鏡筒１ｄに形成された凹部に結合する。その結果、アダプタ光学系１ｂと撮像光学系１ａとは結合され、アダプタ光学系１ｂによって機能が付加された撮像光学系が形成される。
【００３３】
図５は、筐体１４と蓋部１５とが折畳まれた携帯情報端末装置１００の拡大断面図である。図５に示すように、嵌合突起１８が嵌合孔２０に嵌合することによってヒンジ１６中心が遊び径の中心に位置し、イメージャ１ｃと光学アダプタ１ｂとは、所定の距離ｄに保たれ、かつ撮像光学系１ａの光軸とアダプタ光学系１ｂの光軸とが一致する。その結果、イメージャ１ｃは、撮像光学系１ａとアダプタ光学系１ｂとを介して高画質で機能が付加された撮像画像を確実に取得できる。
【００３４】
図６および図７は、嵌合突起１８の無い筐体１４ａ，１４ｂと嵌合孔２０の無い蓋部１５ａ，１５ｂとが折畳まれた携帯情報端末装置の拡大断面図である。嵌合部の無い携帯情報端末装置においては、検出スイッチ２１等によって撮像光学系１ａとアダプタ光学系１ｂとの離合動作を制御している。
【００３５】
図６に示すように、筐体１４ａと蓋部１５ａとが折畳まれた場合、嵌合部がないため、ヒンジ１６中心が遊び径の中心から垂直方向にずれる場合が生じ、イメージャ１ｃと撮像光学系１ａとを結ぶ光軸とアダプタ光学系１ｂの光軸とにズレδが生じる。光軸にズレδが生じると、アダプタ光学系１ｂを介して取込まれた光学画像は、撮像光学系１ａに正しく結像せず、結果的にイメージャ１ｃは、高機能で高画質の撮像画像を取得できない。
【００３６】
また、図７に示す筐体１４ｂと蓋部１５ｂとは、図６に示した筐体１４ａと蓋部１５ａと同様に、嵌合部がないため、ヒンジ１６中心が遊び径の中心から水平方向にずれ、イメージャ１ｃとアダプタ光学系１ｂとは、適正な距離ｄに保たれず距離ｄ´となる。この結果、アダプタ光学系１ｂと撮像光学系１ａとによって形成される光学系は、適正な（焦点の合った）結像を取得できず、結果的にイメージャ１ｃは、高画質で機能が付加された撮像画像を確実に取得できない。
【００３７】
この実施の形態１では、筐体１４と蓋部１５とに嵌合部を設け、アダプタ光学系１ｂと撮像光学系１ａとが光学的に適正に結合するようにして、アダプタ光学系１ｂが有する機能が付加された撮像画像が確実に取得されるようにしていた。
【００３８】
なお、この実施の形態１では、筐体１４に撮像光学系１ａを設け、蓋部１５にアダプタ光学系１ｂを設けるようにしていたが、筐体１４にアダプタ光学系１ｂを設け、蓋部１５に撮像光学系１ａを設けるようにしてもよい。
【００３９】
また、この実施の形態１では、嵌合突起１８と嵌合孔２０とが嵌合し、嵌合突起１８がレバー２ｄを回動させることによってアダプタ光学系１ｂと撮像光学系１ａとが結合するようにしていたが、嵌合部を設けず、アダプタ光学系１ｂと撮像光学系１ａとが直接嵌合して結合するようにしてもよい。
【００４０】
（実施の形態２）
つぎに、この発明の実施の形態２について説明する。実施の形態１では、携帯情報端末装置１００の筐体１４と蓋部１５とに嵌合部を設け、撮像光学系１ａとアダプタ光学系１ｂとが適正に結合するようにしていたが、この実施の形態２では、携帯情報端末装置の筐体に撮像対象を照明する照明部をさらに設け、撮像対象が暗い場合であっても高画質で機能が付加された撮像画像が確実に取得できるようにしている。
【００４１】
図８は、この発明の実施の形態２である携帯情報端末装置２００の外観を示す斜視図である。図８に示すように、この携帯情報端末装置２００は、筐体４０と蓋部４２とを有し、蓋部４２は、ヒンジ４１を回動軸として回動し筐体４０の操作機能部をカバーしている。筐体４０は、撮像光学系４４と、撮像対象を照明する照明部１０と、嵌合突起４８とを有し、蓋部４２は、アダプタ光学系４５と、照明部１０の光を透過する照明用透過窓４６と、嵌合孔４７とを有している。蓋部４２が筐体４０に折畳まれた場合、撮像光学系４４とアダプタ光学系４５との位置が対応し、照明部１０と照明用透過窓４６との位置が対応し、嵌合突起４８と嵌合孔４７との位置が対応する。
【００４２】
したがって、蓋部４２が筐体４０に折畳まれた場合、嵌合突起４８と嵌合孔４７とが嵌合し、撮像光学系４４とアダプタ光学系４５とが結合する。さらに、照明部１０は、照明用透過窓４８に被覆されるが照明用透過窓４８は透明であるため、照明部１０が発した光は、照明用透過窓４８を透過する。照明部１０は、操作機能部に設けられた手元スイッチ（図示せず）によって点灯が制御され、撮像対象を照明し、撮像光学系４４は、高画質で機能が付加された撮像画像が取得できる。
【００４３】
この実施の形態２では、照明部１０と照明用透過窓４８とを設け、撮像対象が暗い場合であっても高画質で機能が付加された撮像画像が取得できるようにしていた。勿論、撮像光学系４４は、アダプタ光学系４５を結合せず、通常機能で撮像することも可能である。また、この場合においても、照明部１０の点灯も制御可能である。
【００４４】
なお、この実施の形態２では、筐体４０に撮像光学系４４を設け、蓋部４２にアダプタ光学系４５を設けるようにしていたが、筐体４０にアダプタ光学系４５を設け、蓋部４２に撮像光学系４４を設けるようにしてもよい。この照明部１０は、ＬＥＤ等によって実現される。
【００４５】
また、この携帯情報端末装置１００,２００に非接触による情報通信を行ってＲＦＩＤ（Radio Frequency Identification）タグを読込む機能を備えるようにしてもよい。
【００４６】
なお、上述の実施の形態１，２の携帯情報端末装置１００，２００は、たとえばＰＤＡ（Personal Digital Assistant）、携帯電話、移動式通信装置、およびモバイルＰＣ等によって実現される。
【図面の簡単な説明】
【００４７】
【図１】この発明の実施の形態１にかかる携帯情報端末装置の機能ブロック図である。
【図２】この発明の実施の形態１にかかる携帯情報端末装置の外観を示す斜視図である。
【図３】この発明の実施の形態１にかかる携帯情報端末装置の断面図である。
【図４−１】この発明の実施の形態１にかかる携帯情報端末装置の拡大断面図である。
【図４−２】この発明の実施の形態１にかかる携帯情報端末装置の拡大断面図である。
【図５】この発明の実施の形態１にかかる携帯情報端末装置の拡大断面図である。
【図６】嵌合部が無い携帯情報端末装置の拡大断面図である。
【図７】嵌合部が無い携帯情報端末装置の拡大断面図である。
【図８】この発明の実施の形態２にかかる携帯情報端末装置の外観を示す斜視図である。
【符号の説明】
【００４８】
１  撮像部
１ａ，４４  撮像光学系
１ｂ，４５  アダプタ光学系
１ｃ  イメージャ
１ｄ，２ｂ  鏡筒
１ｅ  鏡筒保持部材
１ｆ  導線
２  表示部
２ａ  リブ
２ｃ  コイルバネ
２ｄ  レバー
２ｅ，１６，４１  ヒンジ
２ｆ  ストッパ
２ｇ  板バネ
２Ａ  ＬＣＤ
３  入力部
３ａ  操作キー
４  音声入出力部
４ａ  マイクロフォン
４ｂ  スピーカ
７  外部通信部
８  メモリ部
９  アンテナ
１０  照明部
１３  ＣＰＵ
１４，１４ａ，１４ｂ，４０  筐体
１５，１５ａ，１５ｂ，４２  蓋部
１７  スイッチ駆動突起
１８，４８  嵌合突起
１９ａ，１９ｂ，２１ａ，２１ｂ  ハウジング
２０，４８  嵌合孔
２１  検出スイッチ
２１ｃ  透明窓
４６  照明用透過窓
４０，４１  ビス
１００，２００  携帯情報端末装置
【図１】
2006270229.tif 000003
【図２】
2006270229.tif 000004
【図３】
2006270229.tif 000005
【図４−１】
2006270229.tif 000006
【図４−２】
2006270229.tif 000007
【図５】
2006270229.tif 000008
【図６】
2006270229.tif 000009
【図７】
2006270229.tif 000010
【図８】
2006270229.tif 000011